(57)【特許請求の範囲】
【請求項１】
表示板の固定方法であって、
壁面に取り付け可能な受け部と、前記受け部に脱着可能に取り付けられる表示板と、を用い、
前記受け部の前面には固定穴が形成され、前記受け部の側部には保持鍔部が形成されており、
前記表示板の裏面には、前記固定穴に係合可能な係合突起と、前記保持鍔部へ係止可能な爪部とが形成され、
前記受け部を壁面に取り付け、
前記係合突起を前記固定穴に挿入して、前記表示板を前記受け部に取り付け、
前記表示板と前記壁面との間に形成された隙間に、先端に治具側嵌合部を有する治具を挿入し、前記爪部に形成される爪部側嵌合部に前記治具側嵌合部を嵌合させ、前記爪部を前記保持鍔部側にスライド移動させることで、前記爪部を前記保持鍔部に係止することを特徴とする表示板の固定方法。
【請求項２】
前記表示板の前記治具を挿入する部位には、挿入位置マークが設けられており、前記挿入位置マークに対応する隙間から前記治具を挿入することを特徴とする請求項１記載の表示板の固定方法。
【請求項３】
前記治具は略Ｌ字状であり、前記治具の端部を前記表示板の前方から前記隙間に挿入し、前記表示板の縁に沿って前記治具を移動させることで、前記爪部をスライド移動させることを特徴とする請求項１または請求項２に記載の表示板の固定方法。
【請求項４】
表示板の固定構造であって、
壁面に取り付けられる受け部と、
前記受け部に脱着可能に取り付けられる表示板と、
を具備し、
前記受け部の前面には固定穴が形成され、前記受け部の側部には保持鍔部が形成され、
前記表示板の裏面には、前記固定穴に係合可能な係合突起と、前記保持鍔部へ係止可能な爪部側嵌合部を有する爪部とが形成され、
前記係合突起を前記固定穴に挿入し、前記表示板を前記受け部に取り付けた状態において、前記爪部側嵌合部に嵌合する治具によって前記爪部を前記保持鍔部側にスライド移動させることで、前記爪部が前記保持鍔部に係止されることを特徴とする表示板の固定構造。
【請求項５】
前記表示板には、前記爪部に対応する部位にマークが形成されることを特徴とする請求項４記載の表示板の固定構造。
【発明の詳細な説明】
【技術分野】
【０００１】
本発明は、壁面等に固定される表示板の固定方法および固定構造に関するものである。
【背景技術】
【０００２】
従来、ピクトサインや情報伝達表示用の表示板は、壁面等に固定されて用いられる。表示板は、表示内容が変更になる場合があるため、必要に応じて容易に脱着が可能な構造である必要がある。
【０００３】
一方、地震や衝撃等により、取り付けた表示板が簡単に脱落すると、通行人等に当たる恐れがあり危険である。また、表示板の周囲に固定スペースを要する場合には、作業スペースの確保や固定部同士の干渉を避けるため、複数の表示板を取り付ける際にも表示板の設置効率が悪いという問題がある。このため、表示板の脱着が容易であり、確実に固定ができ、また、複数の表示板を併設する場合でも、設置効率に優れる表示板の固定方法が望まれる。
【０００４】
このような表示板としては、例えば、基板の前面側に係止突起を形成し、各表示プレートの裏面側に係止突起により係止される係止凹所をそれぞれ設け、基板の両側縁部を押さえるための押さえ鍔を突設した表示装置がある（特許文献１）。
【先行技術文献】
【特許文献】
【０００５】
【特許文献１】特開平６−５９６３１号公報
【発明の概要】
【発明が解決しようとする課題】
【０００６】
しかし、特許文献1の表示装置では、表示板は固定されるが、誰もが簡単に表示板を取り外すことができるため、いたずらにより、表示板が取り外されるなどの恐れがある。また、表示板を表示板前面側から固定すると、固定部が視認できるため、見た目が悪いという問題がある。したがって、特定の作業者のみが簡易に脱着が可能であるとともに、見た目に優れ、表示板を確実に固定ができる方法が望まれている。
【０００７】
本発明は、このような問題に鑑みてなされたもので、特定の者のみが容易に脱着が可能であるとともに、確実に表示板を固定でき、かつ、見た目に優れる表示板の固定方法等を提供することを目的とする。
【課題を解決するための手段】
【０００８】
前述した目的を達成するため、第１の発明は、表示板の固定方法であって、壁面に取り付け可能な受け部と、前記受け部に脱着可能に取り付けられる表示板と、を用い、前記受け部の前面には固定穴が形成され、前記受け部の側部には保持鍔部が形成されており、前記表示板の裏面には、前記固定穴に係合可能な係合突起と、前記保持鍔部へ係止可能な爪部とが形成され、前記受け部を壁面に取り付け、前記係合突起を前記固定穴に挿入して、前記表示板を前記受け部に取り付け、前記表示板と前記壁面との間に形成された隙間に、先端に治具側嵌合部を有する治具を挿入し、前記爪部に形成される爪部側嵌合部に前記治具側嵌合部を嵌合させ、前記爪部を前記保持鍔部側にスライド移動させることで、前記爪部を前記保持鍔部に係止することを特徴とする表示板の固定方法である。
【０００９】
前記表示板の前記治具を挿入する部位には、挿入位置マークが設けられており、前記挿入位置マークに対応する隙間から前記治具を挿入することが望ましい。
【００１０】
前記治具は略Ｌ字状であり、前記治具の端部を前記表示板の前方から前記隙間に挿入し、前記表示板の縁に沿って前記治具を移動させることで、前記爪部をスライド移動させることが望ましい。
【００１１】
第１の発明によれば、係合突起を固定穴に挿入することで、表示板を受け部に仮固定することができ、また、爪部を治具によってスライド移動させることで、爪部で保持鍔部を係止し、表示板が前後方向に取り外されることを防止することができる。
【００１２】
また、受け部が表示板の裏側に隠れて前面より視認できず、また、係合突起と固定穴との係合位置や、爪部および保持鍔部との係止位置が表示板の裏側に位置するため、表示板の前面から表示板の固定構造を視認することができない。このため、見た目に優れる。
【００１３】
また、表示板の爪部側嵌合部と嵌合可能な治具側嵌合部を有する治具を用いるため、当該専用治具を有する者でないと、表示板の脱着が極めて困難である。したがって、不特定の人間が表示板を取り外すなどのいたずらを防止することができる。
【００１４】
また、表示板の治具挿入部に対応する位置にマークが施されれば、作業者は容易に治具の挿入位置を認識することができる。このため、表示板の脱着作業性に優れる。
【００１５】
また、治具を略L字状として、表示板の前方から表示板の裏面に治具を挿入し、治具を表示板の縁に沿って移動させることで爪部のスライド移動が可能であれば、表示板を複数併設する場合でも、治具の先端部が挿入できるだけの表示板同士の隙間があればよいため、表示板の設置効率が高い。
【００１６】
第２の発明は、表示板の固定構造であって、壁面に取り付けられる受け部と、前記受け部に脱着可能に取り付けられる表示板と、を具備し、前記受け部の前面には固定穴が形成され、前記受け部の側部には保持鍔部が形成され、前記表示板の裏面には、前記固定穴に係合可能な係合突起と、前記保持鍔部へ係止可能な爪部側嵌合部を有する爪部とが形成され、前記係合突起を前記固定穴に挿入し、前記表示板を前記受け部に取り付けた状態において、前記爪部側嵌合部に嵌合する治具によって前記爪部を前記保持鍔部側にスライド移動させることで、前記爪部が前記保持鍔部に係止されることを特徴とする表示板の固定構造である。前記表示板には、前記爪部に対応する部位にマークが形成されてもよい。

【００１７】
第２の発明によれば、係合突起と固定穴との係合および、爪部による保持鍔部の係止によって、確実に表示板が固定され、また、爪部をスライド移動させることで容易に脱着が可能な表示板の固定構造を得ることができる。
【発明の効果】
【００１８】
本発明によれば、特定の者のみが容易に脱着が可能であるとともに、確実に表示板が固定でき、かつ、見た目に優れる表示板の固定方法等を提供することができる。
【図面の簡単な説明】
【００１９】
【図１】表示板固定構造１を示す図であり、（ａ）は分解斜視図、（ｂ）は平面図。
【図２】図１（ｂ）のＡ部近傍拡大図。
【図３】表示板７を示す図で、（ａ）は背面図、（ｂ）、（ｃ）は（ａ）のＢ部拡大図。
【図４】爪部１５を示す図で、（ａ）は図３（ｂ）のＣ−Ｃ線断面図、（ｂ）、は図３（ｂ）のＤ−Ｄ線断面図、（ｃ）は図３（ｃ）のＥ−Ｅ線断面図。
【図５】受け部５を壁面３に取り付けた状態を示す図で、（ａ）は正面図、（ｂ）は平面図。
【図６】図５（ａ）のＧ−Ｇ線断面図。
【図７】表示板７を受け部５に取り付けた状態を示す図で、（ａ）は正面図、（ｂ）は平面図。
【図８】図７（ａ）のＩ部近傍におけるＨ−Ｈ線断面図。
【図９】固定治具２７を示す図で、（ａ）は斜視図、（ｂ）は側面図。
【図１０】表示板７を受け部５に取り付けた状態を示す図で、（ａ）は背面図、（ｂ）は受け部５近傍の平面図。
【図１１】爪部１５をスライド移動させる状態を示す図で、（ａ）、（ｃ）は平面図、（ｂ）、（ｄ）は爪部１５近傍の平面図。
【発明を実施するための形態】
【００２０】
以下、図面に基づいて、本発明の実施形態を詳細に説明する。図１は、表示板固定構造１を示す図であり、図１（ａ）は分解斜視図、図１（ｂ）は平面図である。表示板固定構造１は、主に、受け部５および表示板７等により構成される。
【００２１】
図１（ａ）に示すように、受け部５は、壁面３に固定される。受け部５の前面には、複数の固定穴９が設けられる。固定穴９は、受け部５の壁面への取り付けや、後述する表示板７との取り付けに用いられる略矩形の孔である。なお、図１（ｂ）に示すように、受け部５は、例えばネジ１９によって壁面３に固定される。受け部５の両側部には、保持鍔部１１が形成される。保持鍔部１１は、受け部５の前面側が縁部に沿って側方に張り出した鍔部である。なお、受け部５は、取り付けられる表示板の大きさに応じて、例えば壁面３に一対併設される。
【００２２】
表示板７は、表面に各種情報が表示されるものである。なお、表示板の表示内容は文字や図など各種のものが適用可能であるが、図示を省略する。また、表示板７の形状は、図示した例に限られず、円形、正方形、その他多角形など各種の形状が適用できる。表示板７の上面および下面の所定位置にはマーク１３が形成される。マーク１３は、例えば表示板前面からでも視認可能なように凸形状で形成される。
【００２３】
図１（ｂ）に示すように、表示板７の裏面には、爪部１５および係合突起１７が形成される。係合突起１７は、受け部５の固定穴９に挿入される突起である。
【００２４】
係合突起１７の両側部には爪部１５が一対形成される。爪部１５は、受け部５の保持鍔部１１を係止することができる。爪部１５は、表示板７の上下のそれぞれに形成され、受け部５の両側方から保持鍔部１１を挟みこむように係止する。すなわち、図１の例では、爪部１５は、それぞれの受け部５に対し、上下それぞれにおいて一対（両側方）形成されるため（上下に各２個）、２個の受け部５に対しては合計８個形成される。なお、詳細は後述するが、マーク１３は、爪部１５の形成位置に略対応する部位に設けられる。
【００２５】
図２は図１（ｂ）のＡ部拡大図である。爪部１５の先端（保持鍔部１１側）には、保持鍔部１１と嵌合可能な溝１６が形成される。溝１６は表示板の上下方向に向けて形成される。溝１６が保持鍔部１１に対して嵌合することで、爪部１５と保持鍔部１１とが係止する。すなわち、表示板７が受け部５に固定される。したがって、表示板７は、正面から見た際に、上下左右への移動が係合突起１７および固定穴９との係合によって規制され、さらに、爪部１５による保持鍔部１１の係止によって、前方への移動が規制される。このため、表示板７は確実に受け部５（壁面３）へ固定される。
【００２６】
図３（ａ）は、表示板７の背面を示す図である。係合突起１７は、受け部５の固定穴９に対応する位置に、表示板７の上下に一対形成される。さらに、一対の受け部５に対応する位置に左右に一対形成される。また、前述の通り、爪部１５は、それぞれの係合突起１７の両側方に形成される。
【００２７】
図３（ｂ）は、図３（ａ）のＢ部拡大図であり、爪部１５近傍を示す図である。爪部１５の前面（表示板７の裏面側）には、爪部側嵌合部２１が形成される。爪部側嵌合部２１は、後述する治具と嵌合可能な部位であり、例えば凹部である。
【００２８】
図４（ａ）は、図３（ｂ）のＣ−Ｃ線断面図であり、図４（ｂ）は、図３（ｂ）のＤ−Ｄ線断面図である。前述の通り、爪部１５の先端には溝１６が形成される。爪部１５の下部（表示板本体側）には突起２５が形成される。突起２５は、表示板７の裏面に形成されたガイド２３に嵌まり込む。突起２５の先端にはガイド２３からの抜け落ちを防止する爪が形成される。すなわち、爪部１５は、ガイド２３に沿って移動可能である。
【００２９】
また、爪部１５は、通常時には、後方（受け部５とは反対側）に移動されている（この状態をロック解除状態と称する）。この状態においては、爪部１５は保持鍔部１１と係止されない。なお、この状態において、溝１６は、保持鍔部１１と略同一の高さに位置する。
【００３０】
図３（ｃ）は、爪部１５を前方（受け部５側）に移動した状態を示す図である。すなわち、突起２５がガイド２３に嵌り込むため、爪部１５はガイド２３に沿って移動可能である（図中矢印Ｆ方向）。したがって、爪部１５は、受け部方向にまっすぐに移動することができる。
【００３１】
図４（ｃ）は、図３（ｃ）のＥ−Ｅ線断面図である。図４（ｃ）に示すように、爪部１５をガイド２３に沿って前方（受け部５側であって、図中矢印Ｆ方向）に移動させると、爪部１５の溝１６は、まっすぐに保持鍔部１１に嵌り込む。したがって、爪部１５によって保持鍔部１１（受け部５）を係止することができる（この状態をロック状態と称する）。
【００３２】
次に、表示板７の固定方法について説明する。まず、壁面３の所望の位置に受け部５を設置する。図５は、壁面３に受け部５を取り付けた状態を示す図で、図５（ａ）は正面図、図５（ｂ）は平面図、図６は、図５（ａ）のＧ−Ｇ線断面図である。受け部５は、表示板７の係合突起１７等の位置に対応する部位に設置される。受け部５は、保持鍔部１１が前方側となるように固定される。
【００３３】
前述の通り、受け部５の前面には複数の固定穴９が形成される。なお、本実施の形態においては、上下２個の固定穴９を用いる例について説明するが、表示板７のサイズ等に応じて、使用する固定穴９は適宜決定される。
【００３４】
図６に示すように、受け部５はネジ１９によって壁面３に固定される。なお、ネジ１９は固定穴９によって受け部５の前方から取り付けられる。受け部５は、少なくとも係合突起１７が挿入可能な厚みを有し、係合突起１７と干渉しないように空間が形成される。
【００３５】
次に、図７に示すように、表示板７を受け部５に取り付ける。図７（ａ）は表示板７を取り付けた状態を示す正面図に対し表示板７を透視した図であり、図７（ｂ）は平面図である。また、図８は、図７（ａ）のＩ部近傍におけるＨ−Ｈ線断面図である。図７（ａ）に示すように、表示板７は、受け部５の全高よりも高く、表示板７を取り付けると、受け部５を表示板前方側から視認することはできない。
【００３６】
図８に示すように、表示板７の係合突起１７を、受け部５の固定穴９に挿入することで、表示板７は受け部９に取り付けられて仮固定される。この際、表示板７のそれぞれの爪部１５は、ロック解除状態である（全て後方（爪部１５とは反対側であって、受け部５に対して離れる方向）に移動している）。すなわち、爪部１５は受け部５と干渉することがない。なお、表示板７を前方に引っ張ることで、係合突起１７は固定穴９から抜け、表示板７を受け部５から取り外すことができる。
【００３７】
爪部１５の爪部側嵌合部２１の部位に対応する位置には、マーク１３が設けられる。すなわち、表示板の上下面（マークが突起であれば前方）から、表示板７の裏面側の爪部側嵌合部２１の位置を認識することができる。
【００３８】
次に、表示板７を受け部５に固定する。固定には、固定治具２７が用いられる。図９は、固定治具２７を示す図で、図９（ａ）は斜視図、図９（ｂ）は側面図である。固定治具２７は、略Ｌ字形状の部材である。固定治具２７は、持ち手部２７ａに対して略垂直に差し込み部２７ｂが形成される。差し込み部２７ｂの先端には治具側嵌合部２９が設けられる。治具側嵌合部２９は、前述した爪部側嵌合部２１と嵌合可能な部位であり、たとえば略円断面形状の突起である。治具側嵌合部２９は、差し込み部２７ｂの下面（持ち手部２７ａと同一方向）に形成される。
【００３９】
図１０（ａ）は、表示板７を受け部５に取り付けた状態の背面図（壁面側から見た壁面透視図）である。なお、受け部５については配置のみを点線で示す。まず、図１０（ａ）に示すように、表示板７の上面側から、表示板７の上側の爪部１５の位置に固定治具２７の差し込み部２７ｂを挿入する（図中矢印Ｊ方向）。なお、図においては表示板上方に十分なスペースがある場合を示すが、表示板が上下に複数併設される場合であっても、固定治具２７の差し込み部２７ｂを表示板の裏面に挿入可能な隙間があれば、以下の操作を行うことができる。
【００４０】
図１０（ｂ）は、固定治具２７の挿入部位近傍の平面図である。表示板７を受け部５に取り付けた状態（仮固定）において、表示板７の背面と壁面３との間には、受け部５の厚みに対応する隙間３１が形成される。また、前述の通り、表示板７の上面には、爪部１５の爪部側嵌合部２１に対応する位置にマーク１３が形成される。したがって、固定治具２７の治具側嵌合部２９の位置をマーク１３の位置に合わせて固定治具２７を隙間３１に挿入することで、治具側嵌合部２９と爪部側嵌合部２１の位置を合わせることができる。
【００４１】
なお、持ち手部２７ｂは、対象の表示板の厚み（固定治具の使用位置における表示板の厚み）よりも長いが望ましい。このようにすることで、表示板７の前方側から固定治具２７を使用することができる。また、差し込み部２７ｂの長さは、表示板７の上面（または下面）から、爪部１５（爪部側突起部）までの長さ以上であればよい。ただし、差し込み部２７ｂの長さが長すぎると、挿入性が悪くなるため、持ち手部２７ａを表示板７の上面（または下面）に接触させた際に、治具側嵌合部２７ｂの位置が爪部側嵌合部２１と略一致する程度の長さであれば良い。
【００４２】
次に、図１１（ａ）、図１１（ｂ）に示すように、固定治具２７を前方（表示板前方）方向に移動させ、固定治具２７の治具側嵌合部２９を爪部側嵌合部２１に嵌合させる。なお、爪部側嵌合部２１および治具側嵌合部２９の形状は、図示したような円形に限られず、多角形等種々の形態でもよい。この場合、互いの形状を一致させることで、爪部側嵌合部の形状に合った治具側嵌合部を有する固定治具を用いなければ、互いの嵌合部を嵌合させることができない。
【００４３】
次に、図１１（ａ）、図１１（ｂ）に示すように、爪部１５と嵌合した状態の固定治具２７を受け部５側（図中矢印Ｋ方向）に移動させる。すなわち、固定治具を挿入した状態で、固定治具２７を表示板７の縁に沿って移動させる。爪部１５は、受け部５側に移動すると、爪部１５（溝１６）が保持鍔部１１に嵌り込む。すなわち、爪部１５により保持鍔部１１が係止される（ロック状態となる）。
【００４４】
この状態で、固定治具２７を爪部１５から取り外すことで、爪部１５による保持鍔部１１の係止が完了する。以上の操作を各爪部１５に対して行い、それぞれの爪部１５を保持鍔部１１側に移動させ、爪部１５と保持鍔部１１によって、表示板７が受け部５に固定される。なお、下側の爪部１５の操作は、固定治具２７を下面側から挿入すれば良い。
【００４５】
また、表示板７を取り外す際には、上述の工程を逆に行えばよい。
【００４６】
本発明によれば、確実に表示板７を固定することができる。特に係止突起１７により、表示板を仮固定できるとともに、表示板の位置ずれを防ぐことができる。また、爪部１５と保持鍔部１１の係止によって、表示板７が確実に固定される。このため、表示板の脱落などの恐れがない。
【００４７】
また、表示板７の受け部５への固定は、爪部１５のスライド移動により行われるため、表示板７の脱着が容易である。また、爪部１５のスライド移動は特殊な固定治具２７によって行われるため、固定治具２７を有する特定の作業者のみが表示板７の脱着作業を行うことができる。また、爪部側嵌合部２１の形状を表示板によって変えることで、当該表示板に合致した固定治具を有する者でないと、脱着作業を行うことができず、このため、作業者を特定することができる。
【００４８】
また、爪部１５等の固定構造が表示板７の裏面側であるため、表示板の前面より視認することができず、見た目に優れる。また、爪部１５の操作を表示板７の前面側から行うことができるため、表示板７の周囲に表示板の脱着に伴う作業スペースが不要である。このため、表示板７を複数併設する場合でも、極めて高い設置効率を得ることができる。
【００４９】
また、爪部１５は表示板７のガイド２３に沿って移動するため、爪部１５は保持鍔部１１側にまっすぐと移動する。このため、確実に保持鍔部１１を係止することができる。また、爪部１５は、突起２５がガイド２３に嵌り込んでいるため、表示板７から脱落する恐れがない。
【００５０】
また、マーク１３によって、表示板の前面から爪部１５（爪部側嵌合部２１）の位置が認識できるため、固定治具２７の挿入位置を把握することが容易である。このため、表示板の脱着作業性に優れる。
【００５１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００５２】
たとえば、マーク１３は爪部１５のロックが解除された位置における爪部側嵌合部２１の位置に対応する部位に設けたが、爪部１５によりロックされた状態における爪部側嵌合部２１の位置に対応する部位に設けてもよく、また、その両者を設けてもよい。ロック状態での位置を把握することで、表示板を取り外す際の固定治具挿入位置の把握が容易となる。また、両方に設けることで、ロック状態およびロック解除状態を把握することができる。すなわち、固定治具２７を挿入して、爪部側嵌合部２１に治具側嵌合部２９を嵌合させ、固定治具の位置を把握することで、爪部１５がどの状態かを容易に把握することができ、爪部１５のロックし忘れ等を防止することができる。
【００５３】
また、受け部５および表示板７の構成を９０度回転させて、爪部１５のスライド方向を横方向ではなく、縦方向としてもよい。この場合でも、爪部１５によって保持鍔部１１を係止することができる。なお、この場合には、固定治具２７を表示板７の側方から挿入すれば良い。
【符号の説明】
【００５４】
１………表示板固定構造
３………壁面
５………受け部
７………表示板
９………固定穴
１１………保持鍔部
１３………マーク
１５………爪部
１６………溝
１７………係合突起
１９………ネジ
２１………爪部側嵌合部
２３………ガイド
２５………突起
２７………固定治具
２７ａ………持ち手部
２７ｂ………差し込み部
２９………治具側嵌合部
３１………隙間
【図１】
0005489160.tif 000002
【図２】
0005489160.tif 000003
【図３】
0005489160.tif 000004
【図４】
0005489160.tif 000005
【図５】
0005489160.tif 000006
【図６】
0005489160.tif 000007
【図７】
0005489160.tif 000008
【図８】
0005489160.tif 000009
【図９】
0005489160.tif 000010
【図１０】
0005489160.tif 000011
【図１１】
0005489160.tif 000012